(57)【要約】【課題】加熱時に被加熱物の脂を落とし、摂取カロリーを低減するヘルシーコースを設け、調理する食材の総カロリーと低減したカロリーを報知して食べられる食材の量を確認する。【解決手段】テーブルプレート２４に載置した被加熱物５１の重量を検知する重量検出手段２５と、被加熱物５１をオーブン加熱手段７８と水蒸気発生手段４３とを併用して過熱水蒸気を発生させる時間を異ならせた加熱調理メニューと、加熱調理メニューを表示する表示部５と、加熱調理メニューの加熱手段を制御する制御手段７２とを備え、制御手段７２は、重量検出手段２５によって検出した被加熱物５１の重量から選択したメニューを加熱調理する加熱時間と被加熱物５１の加熱調理前の総カロリーと被加熱物５１を選択したメニューによって加熱調理することで低減するカロリーを算出し、加熱調理前の総カロリーと加熱調理することで低減するカロリーを表示部５に表示する。【選択図】  図１３
2010255936.tif 000002
【特許請求の範囲】
【請求項１】
被加熱物を加熱調理する加熱室と、
該加熱室の底面に載置されたテーブルプレートと、
該テーブルプレートを支持し、該テーブルプレートに載置した前記被加熱物の重量を検知する重量検出手段と、
前記被加熱物を加熱調理するオーブン加熱手段及び蒸気発生手段と、
前記被加熱物を前記オーブン加熱手段と水蒸気発生手段とを併用して過熱水蒸気を発生させる時間を異ならせた加熱調理メニューと、
前記加熱調理メニューを選択するための操作部と、
前記加熱調理メニューを表示する表示部と、
前記加熱調理メニューの加熱手段を制御する制御手段とを備え、
前記制御手段は、前記重量検出手段によって検出した前記被加熱物の重量から前記選択したメニューを加熱調理する加熱時間と前記被加熱物の加熱調理前の総カロリーと前記被加熱物を選択したメニューによって加熱調理することで低減するカロリーを算出し、前記加熱調理前の総カロリーと加熱調理することで低減するカロリーを前記表示部に表示することを特徴とする加熱調理器。
【請求項２】
加熱調理することで低減するカロリーを、加熱終了時に前記表示部に表示することを特徴とする請求項１記載の加熱調理器。
【請求項３】
加熱調理することで低減するカロリーを、加熱調理前の総カロリーと交互に前記表示部に表示することを特徴とする請求項１記載の加熱調理器。
【発明の詳細な説明】
【技術分野】
【０００１】
本発明は、被加熱物を過熱水蒸気によって加熱調理する機能を備えた加熱調理器に関するものである。
【背景技術】
【０００２】
従来、被加熱物（食品）を加熱する際に、過熱水蒸気を用いることで、食品に含まれる脂や塩分を取り除く加熱調理器がある。
【０００３】
また、加熱する被加熱物の品名と、被加熱物の重量を入力することで、予め設定された品名毎の算式に基づいてカロリーを計算し、算出したカロリーを表示させる加熱調理器がある。
【０００４】
例えば、特許文献１に記載された加熱調理器は、高温水蒸気（過熱水蒸気）による加熱手段を含めて複数の加熱手段を有し、該加熱手段を組み合わせて最適な調理をするもので、複数の加熱手段を組み合わせることにより、被調理物の余分な脂を溶かして落としたり、高温水蒸気のエネルギーの大きい特性を使用して被過熱物を調理する加熱調理器である。
【０００５】
また、特許文献２に記載された加熱調理器は、調理品目により該当するキーを入力し、被加熱物の重量を測定する重量検知部で検出した重量と、予め設定された品目毎の算式に基づいてカロリーを算出し、該カロリーを表示部に表示する加熱調理器である。
【０００６】
さらに、特許文献３には、食品の種類と重量を入力する手段を有し、食品の重量に相当するカロリーを計算し、計算したカロリーを表示するカロリー計算機付調理器が記載されている。そして、前記カロリー計算機が表示するカロリーは、加熱前のカロリーと加熱終了後のカロリーの両方を選択的に計算して表示できるようになっている。
【先行技術文献】
【特許文献】
【０００７】
【特許文献１】特開２００７−３１３６号公報
【特許文献２】特開昭５８−１９５７１８号公報
【特許文献３】特開昭５９−０３２７２３号公報
【発明の概要】
【発明が解決しようとする課題】
【０００８】
近年の健康志向とグルメ志向によって、摂取するカロリーも単に少なければ良いという問題だけではなく、一日に摂取可能なカロリーの総摂取量を守るように考え、その時、その時で、総摂取量に余裕があるときは、カロリーを気にする事無くおいしく食べ、総摂取量に余裕が無い時は、カロリーの少ない食品や同じ食品でも調理方法を工夫することでカロリーを減らして食事することで、一日に摂取可能なカロリーの総摂取量を守り、健康に留意する意識が高まってきている。
【０００９】
しかし、特許文献１に示すものは、被加熱物の余分な脂を落として調理する記載はあるが、同じ食材を使った料理でも好みに応じて落とす脂の量を変えられる調理についての記載はない。
【００１０】
また、特許文献２と特許文献３に示すものは、調理する食品のカロリー（調理前後のカロリー）を表示するものであり、健康志向とグルメ志向の両方を満足できるように、同じ食材を使用して調理する方法に応じてカロリーを好みの量に低減することはできない。
【課題を解決するための手段】
【００１１】
本発明は、上記の課題を解決するためになされたものであり、請求項１では、被加熱物を加熱調理する加熱室と、該加熱室の底面に載置されたテーブルプレートと、該テーブルプレートを支持し、該テーブルプレートに載置した前記被加熱物の重量を検知する重量検出手段と、前記被加熱物を加熱調理するオーブン加熱手段及び蒸気発生手段と、前記被加熱物を前記オーブン加熱手段と水蒸気発生手段とを併用して過熱水蒸気を発生させる時間を異ならせた加熱調理メニューと、前記加熱調理メニューを選択するための操作部と、前記加熱調理メニューを表示する表示部と、前記加熱調理メニューの加熱手段を制御する制御手段とを備え、前記制御手段は、前記重量検出手段によって検出した前記被加熱物の重量から前記選択したメニューを加熱調理する加熱時間と前記被加熱物の加熱調理前の総カロリーと、前記被加熱物を選択したメニューによって加熱調理することで低減するカロリーを算出し、前記加熱調理前の総カロリーと加熱調理することで低減するカロリーを前記表示部に表示するものである。
【００１２】
請求項２では、加熱調理することで低減するカロリーを、加熱終了時に前記表示部に表示するものである。
【００１３】
請求項３では、加熱調理することで低減するカロリーを、加熱調理前の総カロリーと交互に前記表示部に表示するものである。
【発明の効果】
【００１４】
本発明によれば、同じ食材を使った料理でも調理方法を選択することで、調理後の料理のカロリーを低減することが可能であり、そのために、一日に摂取可能なカロリーの総摂取量に応じて調理後のカロリーを調整でき、用意していた食材を無駄にする事無く調理することができる。
【００１５】
また、調理するメニューに応じて、その調理する食材の重量に応じた調理前のカロリーと、調理によって低減されたカロリーの両方を表示するので、カロリーに応じて食べられる食材の量を確認することが可能である。
【００１６】
さらに、食材のカロリーを表示することで、調理する食材の量とカロリーを把握できるので、次回調理する時に摂取可能なカロリーから作る調理の量を調整し、調整した重量に応じた調理が可能であり、食材の無駄を無くすことができる。
【図面の簡単な説明】
【００１７】
【図１】本発明の加熱調理器の本体を前面側から見た斜視図である。
【図２】同加熱調理器の本体を後方側から見た斜視図である。
【図３】図１のＡ−Ａ断面図である。
【図４】本発明の加熱調理器のドアを開け、本体内部が見える状態の斜視図である。
【図５】同加熱調理器の本体の後方内部が見える状態の斜視図である。
【図６】同加熱調理器の熱風ユニット内部の概略構造を示す斜視図である。
【図７】同加熱調理器の重量検出手段の概略構造を示す断面図である。
【図８】同加熱調理器の制御回路を説明するためのブロック図である。
【図９】同加熱調理器において、被加熱物を網に載置した状態の斜視図である。
【図１０】同二種類の加熱工程の説明図である。
【図１１】同食材の重量と加熱調理前の総カロリーの関係を示した説明図である。
【図１２】同食材の重量と加熱調理後の減少したカロリーの関係を示した説明図である。
【図１３】同食材の加熱調理前の総カロリー（ａ）と、加熱調理した後の減少したカロリー（ｂ）を表示した表示部の説明図である。
【発明を実施するための形態】
【００１８】
以下、本発明の実施例を図１から図８に従って説明する。
【００１９】
図において、加熱調理器の本体１は、加熱室２８に加熱調理する食品を入れ、マイクロ波やヒータの熱，飽和水蒸気，過熱水蒸気を使用して食品を加熱調理する。
【００２０】
ドア２は、加熱室２８に食品を出し入れするために開閉するもので、ドア２を閉めることで加熱室２８を密閉状態にし、食品を加熱調理する時に使用するマイクロ波の漏洩を防止し、ヒータの熱や過熱水蒸気を封じ込め、効率良く加熱調理することを可能とする。
【００２１】
取っ手９は、ドア２に取り付けられ、ドア２の開閉を容易にするもので、手で握りやすい形状になっている。
【００２２】
ガラス窓３は、加熱調理中の食品の状態が確認できるようにドア２に取り付けられ、ヒータ等の発熱による高温に耐えるガラスを使用している。
【００２３】
操作部６は、ドア２の前面下側の操作パネル４に設けられ、マイクロ波加熱やヒータ加熱等の加熱手段や加熱する時間等を入力するためのものである。
【００２４】
また、操作部６には、同じ食材を使って二種類の異なる加熱調理方法を選択できるように標準コースキー６ａと、ヘルシーコースキー６ｂを備えている。標準コースは、食品のうまみ成分を増やして加熱調理する標準加熱、ヘルシーコースは食品の脂や塩分を多く落とし加熱調理後のカロリーを少なくするヘルシー加熱であり、これらは標準コースキー６ａと、ヘルシーコースキー６ｂにより選択できる。スタートキー６ｃは選択したコースの加熱調理を開始するためのものである。
【００２５】
表示部５は、操作部６から入力された内容や加熱の進行状態を表示するものである。
【００２６】
水タンク４２は、飽和水蒸気を作るのに必要な水を溜めておく容器であり、加熱調理器の本体１の前面下側に設けられ、本体１の前面から着脱可能な構造とすることで給水および排水が容易にできるようになっている。
【００２７】
外枠７は、加熱調理器の本体１の上面と左右側面を覆うキャビネットである。
【００２８】
後板１０は、前記したキャビネットの後面を形成するものであり、上部に外部排気ダクト１８が取り付けられ、該外部排気ダクト１８の取り付けられる内側に、食品から排出した蒸気や本体１の内部の部品を冷却した後の冷却風（廃熱）３９を排出する排気孔３６が設けられている。
【００２９】
また、外部排気ダクト１８は、排気孔３６を通過した冷却風（廃熱）を本体１の外に排出するもので、排気は外部排気ダクト１８の外部排気口８から排出し、排気の排出方向は本体１の上部方向で且つ前面側に排気する。排気の排出方向を上部方向で且つ前面側に向けることで、背面を壁面に寄せた時でも排気によって壁面を汚すことがないようにしている。
【００３０】
機械室２０は、加熱室底面２８ａと本体１の底板２１との間の空間部に設けられ、底板２１上には食品を加熱するためのマグネトロン３３，マグネトロン３３に接続された導波管４７，制御基板２３、その他後述する各種部品、これらの各種部品を冷却するファン装置１５等が取り付けられている。
【００３１】
加熱室底面２８ａは、略中央部が凹状に窪んでおり、その中に回転アンテナ２６が設置され、マグネトロン３３より放射されるマイクロ波エネルギーは、導波管４７，回転アンテナ駆動手段４６の出力軸４６ａが貫通する開孔部４７ａを通して回転アンテナ２６の下面に流入し、該回転アンテナ２６で拡散されて加熱室２８に放射される。回転アンテナ２６は回転アンテナ駆動手段４６の出力軸４６ａに連結されている。
【００３２】
ファン装置１５は、底板２１より外気を吸引し吹出し口５３より冷却風３９を送風し、機械室２０の自己発熱するマグネトロン３３やインバータ基板２２，重量検出手段２５等を冷却し、加熱室２８の外側と外枠７の間および熱風ケース１１ａと後板１０の間を流れ、外枠７と後板１０を冷却しながら排気孔３６を通り、外部排気ダクト１８の外部排気口８より排出される。
【００３３】
加熱室２８の後部には、熱風ユニット１１が取り付けられ、該熱風ユニット１１内には加熱室２８の空気を効率良く循環させる熱風ファン３２が取り付けられ、加熱室奥壁面２８ｂには空気の通り道となる熱風吸気孔３１と熱風吹出し孔３０が設けられている。
【００３４】
熱風ファン３２は、熱風ケース１１ａの外側に取り付けられた熱風モータ１３の駆動により回転し、熱風ヒータ１４で循環する空気を加熱する。
【００３５】
また、熱風ユニット１１は、加熱室奥壁面２８ｂの後部側に熱風ケース１１ａを設け、加熱室奥壁面２８ｂと熱風ケース１１ａとの間に熱風ファン３２とその外周側に位置するように熱風ヒータ１４（熱風ヒータ１４の消費電力は７５０Ｗ）を設け、熱風ケース１１ａの後側に熱風モータ１３を取り付け、そのモータ軸を熱風ケース１１ａに設けた穴を通して熱風ファン３２と連結している。
【００３６】
熱風モータ１３は、加熱室２８や熱風ヒータ１４からの熱によって温度上昇するため、それを防ぐために、熱風モータカバー１７によって囲われている。
【００３７】
冷却ダクト１６は、略筒状に形成されていて熱風ケース１１ａと後板１０との間に位置し、上端開口部を熱風モータカバー１７の下面に接続し、下端開口部をファン装置１５の吹出し口５３に接続し、ファン装置１５からの冷却風３９の一部を熱風モータカバー１７内に取り入れるようにしている。
【００３８】
加熱室２８の天面の裏側には、ヒータよりなるグリル加熱手段１２（消費電力１３００Ｗ）が取り付けられている。グリル加熱手段１２は、マイカ板にヒータ線を巻き付けて平面状に形成し、加熱室２８の天面裏側に押し付けて固定し、加熱室２８の天面を加熱して加熱室２８内の食品を輻射熱によって焼くものである。
【００３９】
また加熱室２８の後部上方には、加熱室２８の温度を検出する温度検出手段８５が設けられている。該温度検出手段８５は、グリル加熱手段１２及び熱風ユニット１１の熱風吹出し孔３０から加熱室２８内に吹出される熱風の影響を直接受けない位置に設けられている。
【００４０】
一方、加熱室底面２８ａには、複数個の重量検出手段２５、例えば前側左右に右側重量センサ２５ａ，左側重量センサ２５ｂ，後側中央に奥側重量センサ２５ｃが設けられ、その上にテーブルプレート２４が載置されている。
【００４１】
テーブルプレート２４は、食品を載置するためのもので、ヒータ加熱とマイクロ波加熱の両方に使用できるように耐熱性を有し、かつ、マイクロ波の透過性が良く、衛生面でも問題がない磁器等の材料で成形されている。
【００４２】
このテーブルプレート２４は、調理の種類によって、加熱室２８の左右側面に設けた上中下の多段（図では３段）の棚２７に載せて使用される。
【００４３】
また、調理の種類に応じてテーブルプレート２４の他に網５２（図９）が使用される。
【００４４】
網５２は、テーブルプレート２４の上に載せ、網５２の上に被加熱物５１を載置して加熱調理するものである。
【００４５】
加熱調理時は、重量検出手段２５によって網５２と網５２に載置した被加熱物５１の重量を検出し、検出した値から網５２の重量を減算して被加熱物５１の重量を算出する。また、加熱調理時に被加熱物５１より出る脂はテーブルプレート２４に溜めるようにしている。
【００４６】
水蒸気発生手段４３は、熱風ユニット１１の熱風ケース１１ａの外側面に取り付けられ、飽和水蒸気を噴出する噴出口４４は熱風ユニット１１内に臨ませている。
【００４７】
また、水蒸気発生手段４３は、アルミの鋳造で作られ、鋳造時にボイラー加熱手段８９であるシーズヒータを一体となるように埋め込んでいる。そのヒータの消費電力は６００Ｗ前後と大きく、水蒸気発生手段４３を短時間に水を沸騰できる温度に加熱することができる。
【００４８】
水蒸気発生手段４３への水の供給は、ポンプ手段８７を駆動することによって水タンク４２からパイプ４５を通して供給される。供給された水は、水蒸気発生手段４３で加熱されて沸騰し、飽和水蒸気となって噴出口４４から噴出する。
【００４９】
温度検出手段Ｂ８８は、水蒸気発生手段４３の温度を検出するもので、その検出結果を後述する制御手段７２に伝え、ボイラー加熱手段８９やポンプ手段８７を制御する。
【００５０】
ポンプ手段８７は、水タンク４２の水を水蒸気発生手段４３まで汲み上げるもので、ポンプとポンプを駆動するモータで構成される。水蒸気発生手段４３への給水量の調節はモータに供給する電力のＯＮ／ＯＦＦの比率で決定する。
【００５１】
次に、主に図６から図７を用いて内部の詳細な構造を説明する。
【００５２】
図６により熱風ユニット１１の詳細について説明する。
【００５３】
熱風ユニット１１は、略中央部に熱風ファン３２を設けており、図３に示すように、加熱室奥壁面２８ｂに設けた熱風吸気孔３１と熱風吹出し孔３０を通して加熱室２８の空気を循環させる。熱風ファン３２は、熱風ケース１１ａの外側に取り付けた熱風モータ１３の駆動により回転する。
【００５４】
熱風ユニット１１の内部には、熱風ファン３２の下側に位置するように横長の熱風ヒータ１４が設けられ、上部および左右には熱風ファン３２で吸引した空気を熱風吸気孔３１の下側と上側に設けた熱風吹出し孔３０より均等に送風するための導風板１１ｂが取り付けられている。
【００５５】
このように、熱風ユニット１１は、熱風ファン３２によって加熱室２８内の空気を吸引し、吸引した空気を熱風ヒータ１４で加熱した後に加熱室２８への送風を繰り返すことによって加熱室２８を加熱する。
【００５６】
よって、熱風ユニット１１内の熱風ヒータ１４がＯＮして発熱している時に水蒸気発生手段４３で発生した飽和水蒸気を噴出口４４より熱風ユニット１１内に噴出させると、その飽和水蒸気は、熱風ファン３２によって攪拌され、熱風ヒータ１４の熱（表面温度が５００℃以上）によって１００℃以上の高温に加熱されて過熱水蒸気となり、熱風と混合して加熱室２８に送風され被加熱物を加熱する。
【００５７】
次に、図７により重量検出手段について説明する。
【００５８】
重量検出手段２５は、加熱室底面２８ａの機械室２０側に取り付けられ、プランジャー６７のみが加熱室底面２８ａから加熱室２８へ臨んでおり、その上にテーブルプレート２４を載置している。
【００５９】
重量検出手段２５は、本実施例では静電容量式の検出手段を用いている。その詳細は、薄板の金属材で作られた可動電極６８と固定電極６９から構成され、固定電極６９と可動電極６８は略平行に対向して所定の隙間、すなわち検出空間７０を保持し、その検出空間７０にコンデンサを形成する。そして、テーブルプレート２４に載置された食品の重さに応じてプランジャー６７が押されると、その下面の可動電極６８が移動し、静置している固定電極６９との検出空間７０で決まる静電容量を後述する制御手段７２に送り、制御手段７２は、事前にテーブルプレート２４だけを載せた時の静電容量を記憶しておくことで、その静電容量の差を求め食品の重量を求める。
【００６０】
食品の重量は、各重量検出手段２５の検出した食品重量の合計で求められ、また、各重量検出手段２５の検出値の比率からテーブルプレート２４のどの位置に食品の重心位置があるのかを求められる。
【００６１】
次に、図８により加熱調理器のシステム全体の動作ブロック図について説明する。
【００６２】
図において、電源７６は、商用電源で電流検出手段Ａ７５を介して制御手段７２に接続されている。
【００６３】
また、電流検出手段Ａ７５は、加熱調理器の本体１で使用している電流を検知するもので、電源７６の電圧が変動した時など、電流の変化を検出して加熱する出力を一定に調整するために用いられる。
【００６４】
レンジ加熱手段７７は、マグネトロン３３とマグネトロン３３を駆動するための電源を作るインバータ回路を搭載したインバータ基板２２である。インバータ回路は、制御手段７２を介して入力手段７１より入力される加熱パワーに応じた電源を作り、マグネトロン３３に印加する。作られる電源は、前述したようにマグネトロン３３のマイクロ波出力が電源７６の変動に左右されないように、電源検出手段７５からの検出信号で電源７６を監視し、電源７６の変動分を出力で補正するように動作する。
【００６５】
オーブン加熱手段７８は、熱風ユニット１１内の熱風ヒータ１４と熱風ファン３２を駆動する熱風モータ１３である。
【００６６】
グリル加熱手段１２は、加熱室２８の天面を加熱して加熱室２８内の食品を輻射熱によって焼き上げるものである。
【００６７】
照明手段８１は、加熱室２８の外側に設けられ、加熱室２８の壁面に設けた小穴から加熱室２８を照らし、加熱中の食品の状態を見やすくするものである。
【００６８】
冷却手段５０は、ファン装置１５の冷却用のファンを駆動するモータである。
【００６９】
回転アンテナ駆動手段４６は、回転アンテナ２６を駆動するためのモータで、同期モータと回転数を減速するためのギャーが一体になっているものである。
【００７０】
温度検出手段８５は、加熱室２８の温度を検出し、制御手段７２によってオーブン加熱手段７８やグリル加熱手段１２のヒータへ供給する電力を調整するものである。
【００７１】
温度検出手段Ｂ８８は、水蒸気発生手段４３の温度を検出するものである。
【００７２】
ボイラー加熱手段８９は、水蒸気発生手段４３を加熱するものである。
【００７３】
また、制御手段７２は、操作部６から入力された内容に従い、食品を加熱調理するように動作させるもので、重量検出手段２５や温度検出手段８５等の検知手段により食品の状態や加熱室２８の状態を検知し、その後、熱風ヒータ１４，グリル加熱手段１２等の加熱手段や熱風モータ１３等の駆動手段を必要に応じて動作させるものである。
【００７４】
本実施例は、以上の構成からなり、次に加熱動作について説明する。
【００７５】
実施例として、鶏のハーブ焼きについての加熱動作について説明する。
【００７６】
食材（被加熱物５１）は、付属品である調理本に記載された指示に従うもので、下準備として鶏胸肉又はもも肉（皮つき）を約５００グラム用意し、鶏肉は、皮にフォークなどで穴をあけ、厚みのあるところには切れ目を入れ、ローズマリーなどのハーブをまぶす。
【００７７】
次に、被加熱物５１（鶏肉）の加熱工程について図１０を用いて説明する。
【００７８】
図は、加熱工程として、同じ食材を異なる加熱で調理する標準コースとヘルシーコースの二種類を示している。
【００７９】
両工程の加熱時間ｔは、工程のｔｗ０の期間でテーブルプレート２４に置かれている網５２と被加熱物５１の重量を重量検出手段２５によって検出し、検出した重量ｗから算出される。
【００８０】
算出される加熱時間ｔは、事前に各コース毎に実験により求められた時間で、重量ｗから求められ、制御手段７２に記憶してある。
【００８１】
加熱時間ｔは、被加熱物５１の正味の重量値が必要となるので、算出する式には、網５２の重量である３００ｇを差し引くことで被加熱物５１の正味重量が求められる。
【００８２】
二種類の加熱工程に記載されている記号について説明すると、ＲＯ加熱工程はレンジ加熱手段７７とオーブン加熱手段７８による複合加熱、Ｏ加熱工程はオーブン加熱手段７８による加熱（予熱）、ＮＳＯ加熱工程はオーブン加熱手段７８と水蒸気発生手段４３による加熱、Ｇ加熱工程はグリル加熱手段１２による加熱である。
【００８３】
標準コースは、ＲＯ加熱工程が全加熱時間ｔの３０％、Ｇ加熱工程が全加熱時間ｔの６０％を占め、ＲＯ加熱工程とＧ加熱工程の両方による工程が全加熱工程の９０％を占めている。
【００８４】
それに対し、ヘルシーコースは、調理加熱によってカロリーを低減できるように、脱脂効果がある過熱水蒸気を使用したＮＳＯ加熱工程の時間を多く占めるように加熱工程を組み立てる。実施例では、全工程の９０％をＮＳＯ加熱で被加熱物を加熱している。
【００８５】
次に、ヘルシーコースを使って被加熱物を加熱する工程について詳細に説明する。
【００８６】
なお、標準コースを使っての調理は、従来公知の加熱工程であり、説明を省略する。
【００８７】
被加熱物５１の準備が整ったら、操作部６のヘルシーコースキー６ｂを入力し、ヘルシーコースを選択する。
【００８８】
ヘルシーコースは、最初の工程が予熱工程なので、加熱室２８には、テーブルプレート２４のみを入れた状態でスタートキー６ｃを入力し、予熱工程（Ｏ工程）を開始する。
【００８９】
ヘルシーコースで、初めに加熱室２８を予熱する理由は、次のＮＳＯ加熱工程で過熱水蒸気を使用するので、事前に加熱室２８を加熱し、加熱室２８を構成している壁面やドア２に過熱水蒸気が結露して、エネルギーの効率を悪くするのを防ぐためである。
【００９０】
予熱工程は、１８０℃に設定されたオーブン加熱手段７８によって加熱される。
【００９１】
加熱は、制御手段７２からオーブン加熱手段７８である熱風モータ１３と熱風ヒータ１４に信号が送られることで加熱が開始する。
【００９２】
熱風モータ１３は、熱風ファン３２を回転させ、熱風ユニット１１の熱風吸気孔３１から加熱室２８の空気を吸引し、吸引した空気を熱風ユニット１１内で攪拌し、吸引した空気を熱風ヒータ１４で加熱して、熱風を熱風吹出し孔３０より加熱室２８に送風する。
【００９３】
熱風ヒータ１４は、温度検出手段８５の検出値に応じて電力の供給を受け、加熱室２８の温度が設定温度である１８０℃に保たれるように制御され、加熱室２８に送風された熱風によって加熱室２８を加熱する。
【００９４】
制御手段７２は、加熱室２８の温度を温度検出手段８５より逐次検出し、設定温度である１８０℃を検出すると、予熱が終了した合図の報知音を鳴らし、調理者に報せる。
【００９５】
調理者は、予熱が終了したら、一度ドア２を開けて、テーブルプレート２４の上に、網５２を置き、網５２に被加熱物５１（前記下準備したハーブをまぶした鶏肉）を載置（鶏肉の皮を上側に向ける）する（図９）。その後、ドア２を閉めて再びスタートキー６ｃを入力し加熱を続行させる。
【００９６】
再スタート後は、ｔｗ０の期間、重量検出手段２５によってテーブルプレート２４に置かれた被加熱物５１と網５２の合計された重量を検出し、制御手段７２によって加熱調理する加熱時間，食材の加熱調理前の総カロリー，加熱調理した後の低減したカロリーを算出する。
【００９７】
加熱時間の算出は、事前に確認して算出式が求められ制御手段７２に記憶してある。
【００９８】
算出式は、初め、重量検出手段２５で検出した重量、例えば、被加熱物５１の重量５００ｇと網５２の重量３００ｇの合計した重量８００ｇを検出する。そして、検出した８００ｇから加熱調理時に使用する網５２の重量３００ｇを差し引くように算出式を作成し加熱時間ｔを決定する。
【００９９】
本実施例の場合、検出した重量Ｗは８００ｇなので算出式より加熱時間ｔは１１１０秒（１８分３０秒）となる。
【０１００】
次に、食材の加熱調理前の総カロリーについても前記と同様に、事前に付属品の調理本に記載した材料で作った料理の重量と総カロリーの関係（図１１）を制御手段７２に記憶しておき、重量検出手段２５によって検出した重量を基に食材の重量を算出し、その食材の重量より制御手段７２に記憶してあった調理前の総カロリーを算出して求め、表示部５（図１３ａ）に前記総カロリーを表示する。
【０１０１】
本実施例の場合、表示する総カロリーは、被加熱物５１の重量が５００ｇであることから「１０００kcal」となる。
【０１０２】
また、前記と同様に、前記材料で作った料理を決められた加熱工程で加熱調理することで、加熱調理する食材の重量と脱油などによって低減されたカロリーの関係（図１２）を制御手段７２に記憶しておくことで、低減するカロリーを算出して求め、表示部５（図１３ｂ）に低減するカロリーを表示する。
【０１０３】
本実施例の場合、被加熱物５１の重量が５００ｇであることから低減したカロリーは、「１８０kcal」となる。この低減したカロリーの表示は、ｔｗ０の期間終了後、総カロリーの表示と交互に表示しても良いし、加熱終了時にカロリーを低減しましたという意味で加熱終了時に表示してもよい。
【０１０４】
再スタート後は、ＮＳＯ加熱工程が主体で、制御手段７２は、オーブン加熱手段７８である熱風モータ１３と熱風ヒータ１４に信号を送り加熱を開始すると同時に水蒸気発生手段４３もＯＮして、ボイラー加熱手段８９により水蒸気発生手段４３を加熱し、温度検出手段Ｂ８８によって水蒸気発生手段４３が水を沸騰できる温度に上昇したのを検出すると、ポンプ手段８７を動作させて水を水蒸気発生手段４３に送り、水が沸騰して噴出口４４より熱風ユニット１１内に飽和水蒸気を噴出する。
【０１０５】
この時、事前に水蒸気発生手段４３内のボイラー加熱手段８９をＯＮして水蒸気発生手段４３を予熱しておくことで、飽和水蒸気を噴出するまでの時間のロスを回避できる。
【０１０６】
熱風ユニット１１内に噴出した飽和水蒸気は、熱風ファン３２によって攪拌され、熱風ヒータ１４の発熱（表面温度が５００℃以上）によって１００℃以上の高温に加熱された過熱水蒸気となり、熱風と混合して加熱室２８に送風し被加熱物５１を加熱する。
【０１０７】
次にＧ加熱工程では、制御手段７２はグリル加熱手段１２によって被加熱物５１を焼き上げ、加熱時間ｔが経過すると、ブザーなど（図示せず）を鳴らし使用者に加熱の終了を知らせる。
【０１０８】
次に加熱中の被加熱物５１の状態を説明する。
【０１０９】
予熱工程によって、過熱水蒸気が加熱室２８を構成している壁面やドア２で結露しない状態（温度）になったら、加熱室２８に被加熱物５１を入れて、熱風と過熱水蒸気によってＮＳＯ加熱工程の間、被加熱物５１が加熱調理される。
【０１１０】
加熱開始直後は、被加熱物５１はまだ温度が低いため、加熱室２８に送風された過熱水蒸気は、被加熱物５１の表面全体で凝縮水滴になり、この凝縮水滴によって発生する凝縮潜熱と熱風によって被加熱物５１を効率良く加熱し、被加熱物５１は、次第に温度が上昇し、被加熱物５１の表面を加熱する。
【０１１１】
また、被加熱物５１は、過熱水蒸気の加熱によって発生した被加熱物５１の表面全体の凝縮水滴によって表面だけが著しく加熱されることなく被加熱物５１の内部も加熱されるようになる。
【０１１２】
そのため、被加熱物５１の表面と内部の温度差が緩和され、被加熱物５１の全体の温度を上昇させる。
【０１１３】
被加熱物５１の温度が上昇し、被加熱物５１に含まれる脂が溶ける温度に上昇すると脂が溶解し、さらに被加熱物５１の温度が上昇すると、肉の熱変成温度、つまり、たんぱく質が加熱によって凝固が始まる温度に達すると、たんぱく質の凝固によって被加熱物５１全体が縮み、被加熱物５１の内部で溶けた脂が表面に流出する。
【０１１４】
表面に流出した脂は、被加熱物５１の表面に付着している水滴と一緒にテーブルプレート２４に滴下して被加熱物５１から脂は排除され、この排除された脂によってカロリーが低減する。
【０１１５】
そして、この低減したカロリーを加熱調理後に表示付５に表示して調理者に知らせる。
【０１１６】
一般に言われている肉の脂類が溶け出す温度は、鶏肉は３０〜３２℃、豚肉は３３〜４６℃、牛肉が４０〜５０℃であり、肉の熱変成の温度は６０〜７０℃から始まる。
【０１１７】
その後、Ｇ加熱工程に移行すると、グリル加熱手段によって輻射熱で被加熱物の表面に付着している水滴などを乾燥させ、鶏肉の表面、特に皮をパリッと焼き上げて加熱終了が終了し、低減したカロリーを表示する。
【０１１８】
以上説明したように、本実施例によれば、同じ食材を使った料理でも調理方法を選択することで、調理後の料理のカロリーを低減することが可能であり、そのために、一日に摂取可能なカロリーの総摂取量に応じて調理後のカロリーを調整でき、用意していた食材を無駄にする事無く調理することができる。
【０１１９】
また、調理するメニューに応じて、その調理する食材の重量に応じた調理前のカロリーと、調理によって低減されたカロリーの両方を表示するので、カロリーに応じて食べられる食材の量を確認することが可能である。
【０１２０】
さらに、食材のカロリーを表示することで、調理する食材の量とカロリーを把握できるので、次回調理する時に摂取可能なカロリーから作る調理の量を調整し、調整した重量に応じた調理が可能であり、食材の無駄を無くすことができる。
【符号の説明】
【０１２１】
５  表示部
６  操作部
２４  テーブルプレート
２５  重量検出手段
５１  被加熱物
５２  網
７２  制御手段
【図１】
2010255936.tif 000003
【図２】
2010255936.tif 000004
【図３】
2010255936.tif 000005
【図４】
2010255936.tif 000006
【図５】
2010255936.tif 000007
【図６】
2010255936.tif 000008
【図７】
2010255936.tif 000009
【図８】
2010255936.tif 000010
【図９】
2010255936.tif 000011
【図１０】
2010255936.tif 000012
【図１１】
2010255936.tif 000013
【図１２】
2010255936.tif 000014
【図１３】
2010255936.tif 000015